(57)【要約】【課題】ＬＣＤ表示板の方角が調整でき、ＭＰＥＧ、ＪＰＥＧ、ＭＪＰＥＧ、ＭＰ３などを再生する外、各種メモリー、カードを受け入れるスリットを具備している多重機能を持った映像プレイヤーを提供する。【解決手段】機体と可動フレームからなり、機体１にはＬＣＤ表示板と、ＳＤカード、ＭＭＣカード、ＭＳＰＲＯカード、ＣＦタイプＩ／ＩＩカード、ハードディスクカードなどのメモリカードを受け入れるスリットを具備し、機体１には音響および／または映像の再生を開始させる有線式または無線式の映像センサースイッチ１００または映像ディテクター２００が接続されており、無線式の映像ディテクター２００は感知機能と赤外線制御信号を発射する機能があり、ＬＣＤ表示板１０はタッチパネル式である多重機能映像プレイヤー。【選択図】図４
0003125201.tif 000002
【実用新案登録請求の範囲】
【請求項１】
機体と可動フレームからなり、
前記機体にはＬＣＤ表示板と、ＳＤカード、ＭＭＣカード、ＭＳカード、ＭＳＰＲＯカード、ＣＦタイプＩカード、ＣＦタイプＩＩカード、ハードディスクカードよりなる群から選択された少なくとも一つのメモリカードを受け入れるスリットと、
前記メモリカードに記録されている音響および／または映像の再生を行う再生機能を具備し、
前記機体と接続され、音響および／または映像の再生を開始させる映像センサースイッチを有することを特徴とする多重機能映像プレイヤー。
【請求項２】
前記機体と前記映像センサースイッチとの接続は、有線式または無線式であることを特徴とする請求項１に記載の多重機能映像プレイヤー。
【請求項３】
前記機体と前記映像センサースイッチとの接続が無線式である場合、前記映像センサースイッチは感知機能と赤外線制御信号を発射する機能を有することを特徴とする請求項２に記載の多重機能映像プレイヤー。
【請求項４】
前記ＬＣＤ表示板は、タッチパネル式表示板であることを特徴とする請求項１に記載の多重機能映像プレイヤー。
【請求項５】
前記機体は、さらにＣＤ、ＶＣＤ、およびＤＶＤのうち少なくとも一つのディスクメディアに記録された音響および／または映像の再生機能を有することを特徴とする請求項１〜４のいずれか一つに記載の多重機能映像プレイヤー。
【請求項６】
前記機体は、電源管理モジュールが設けられており、当該電源管理モジュールは変圧器、電池、または車用電池からの電力を管理することを特徴とする請求項１〜５のいずれか一つに記載の多重機能映像プレイヤー。
【請求項７】
さらに、設定された時間で再生および停止を行うタイマー機能を有することを特徴とする請求項１〜６のいずれか一つに記載の多重機能映像プレイヤー。
【請求項８】
前記可動フレームは両端部にサイドアームを有し、
前記サイドアームの一端は前記機体の側部に連結され、前記サイドアームの他端は前記機体の横方向に沿う方向に設けられたスタンドに接続されており、
前記機体、前記サイドアーム、および前記スタンドは、前記ＬＣＤ表示板が観賞上、最良の視界に入るように前記サイドアームと前記機体との相対位置が調整できようにそれぞれ接続されていることを特徴とする請求項１〜７のいずれか一つに記載の多重機能映像プレイヤー。
【考案の詳細な説明】
【技術分野】
【０００１】
本考案は映像プレイヤーに関するもので、特にそのＬＣＤ表示板の方向が調整でき、ＭＰＥＧ、ＪＰＥＧ、ＭＪＰＥＧ、ＭＰ３などを放映する外に、ＳＤカード、ＭＭＣカード、ＭＳカード、ＭＳＰＲＯカード、ＣＦタイプＩ、ＣＦタイプＩＩカード、ハードディスクカードなどを受け入れるスリットを具備し、無線方式でも、有線方式でも使用可能な、多重機能映像プレイヤーに関するものである。
【背景技術】
【０００２】
一般に見受ける映像や音響のプレイヤーとしては、テレビジョン放送やラジオ放送などを受信して再生するテレビジョン受信機やラジオ受信機から最近流行のＣＤプレイヤーや、ＤＶＤなどのディスクメディアの再生、ＭＰＥＧ、ＪＰＥＧ、ＭＪＰＥＧ、ＭＰ３などの再生など、様々な音響や映像の再生プレイヤーがでてきている。
【０００３】
それら音響や映像プレイヤーは、一応の満足感を多くの使用者に与えている。しかし、現状に満足することなくさらに努力して、一層、移動や携帯に便利で、より性能の良い映像や音響プレイヤーを産出して、使用者に貢献することは、この界業者が常に心掛けねばならないことである。
【０００４】
以上の事業に鑑み、本願の考案者は多年当業に従事してきた経験に基づき、長期に渡る苦心研鑽の結果、遂に本案に係る多重機能映像プレイヤーの案出の成功を見るに至ったのである。
【考案の開示】
【考案が解決しようとする課題】
【０００５】
本考案の目的は、映像プレイヤーおいて、そのＬＣＤ表示板の方角が調整でき、ＭＰＥＧ、ＪＰＥＧ、ＭＪＰＥＧ、ＭＰ３などを放映する外に、ＳＤカード、ＭＭＣカード、ＭＳカード、ＭＳＰＲＯカード、ＣＦタイプＩおよび／またはＩＩカード、ハードディスクカードなどを受け入れるスリット具備し、無線方式でも、有線方式でも使用可能な多重機能映像プレイヤーの提供することである。
【課題を解決するための手段】
【０００６】
上記の目的を達成するための本考案は、機体と可動フレームからなり、前記機体にはＬＣＤ表示板と、ＳＤカード（セキュアデジタルメモリーカード）、ＭＭＣカード（マルチメディアカード）、ＭＳカード（メモリスティック（登録商標）カード）、ＭＳＰＲＯカード（メモリースティックプロカード）、ＣＦ（コンパクトフラッシュ（登録商標））タイプＩカード、ＣＦタイプＩＩカード、ハードディスクカードよりなる群から選択された少なくとも一つのメモリカードを受け入れるスリットと、前記メモリカードに記録されている音響および／または映像の再生を行う再生機能を具備し、前記機体と接続され、音響および／または映像の再生を開始させる映像センサースイッチを有することを特徴とする多重機能映像プレイヤーである。
【０００７】
また、本考案の多重機能映像プレイヤーにおいては、前記機体と前記映像センサースイッチとの接続は、有線式または無線式であることを特徴とする。
【０００８】
また、本考案の多重機能映像プレイヤーにおいては、前記機体と前記映像センサースイッチとの接続が無線式である場合、前記映像センサースイッチは感知機能と赤外線制御信号を発射する機能を有することを特徴とする。
【０００９】
また、本考案の多重機能映像プレイヤーにおいては、前記ＬＣＤ表示板はタッチパネル式表示板であることを特徴とする。
【００１０】
また、本考案の多重機能映像プレイヤーにおいては、前記再生機能は、さらにＣＤ、ＶＣＤ、およびＤＶＤのうち少なくとも一つのディスクメディアに記録された音響および／または映像を再生することを特徴とする。
【００１１】
また、本考案の多重機能映像プレイヤーにおいては、前記機体は、電源管理モジュールが設けられており、当該電源管理モジュールは変圧器、電池、または車用電池からの電力を管理することを特徴とする。
【００１２】
また、本考案の多重機能映像プレイヤーは、さらに、設定された時間で再生および停止を行うタイマー機能を有することを特徴とする。
【００１３】
また、本考案の多重機能映像プレイヤーは、前記可動フレームの両端部にはサイドアームを有し、前記サイドアームの一端は前記機体の側部に連結され、前記サイドアームの他端は前記機体の横方向に設けられたスタンドに接続されており、前記サイドアームと前記スタンドとは、前記ＬＣＤ表示板が観賞上、最良の視界に入るように前記サイドアームと前記機体との相対位置が調整できように接続されていることを特徴とする。
【考案の効果】
【００１４】
本考案によれば、多重機能映像プレイヤーは容積が小さく、軽量で、移動が便利であるため、いつどこでも最良の角度に調整して観賞できる。ＭＰＥＧ１、ＭＰＥＧ３、ＭＰＥＧ４などのファイルフォーマットの映像を再生して放映したり、ＭＰ３などのファイルフォーマットの音響を再生したり、ＳＤカード、ＭＭＣカード、ＭＳカード、ＭＳＰＲＯカード、ＣＦタイプＩ／ＣＦタイプＩＩなどのＣＦカード、ハードディスクカードなど、あまたのメモリカードを受け入れて、それらに記録されている音響や映像の再生することができる。これは正に各種メディア再生の王者である。そしてこのような本考案に係る多重機能映像プレイヤーは視聴会議にも使用できる。したがって、個人や家庭内での使用から商業、教育、会議、産品展示、または家庭映画館に至るまで用途は広大である。
【００１５】
本考案に係る多重機能映像プレイヤーは、従来にない独創性を持つ発想であり、実用新案登録の要件である、新規性および進歩性を満足させるものである。
【考案を実施するための最良の形態】
【００１６】
本考案に係る多重機能映像プレイヤーの他の特徴、優点や応用に関しては、以下に、明細書に添附した図面を参考にして本発明を適用した実施形態を説明する。
【００１７】
図１と図２に示した本考案に係る多重機能映像プレイヤーは、機体１と可動フレーム２とが含まれ、機体１に備え付けた約７インチのＬＣＤ表示板１０の両側にはスピーカー１１と１２とがあり、その後側には映像放映モジュール７（図３参照）を収容したメインケース３が設けられている。
【００１８】
機体１上部には多種類のメモリカードを差し込むためのカード用スリット４とＣＤ、ＶＣＤ、ＤＶＤディスクなどのディスクメディアを差し込むディスク用スリット５が備えてある。
【００１９】
カード用スリット４は現在大量に使用されている、たとえばＳＤカード、ＭＭＣカード、ＭＳカード、ＭＳＰＲＯカード、ＣＦタイプＩカード、ＣＦタイプＩＩカード、ハードディスクカード（マイクロ駆動カードなどとも称される）などのメモリカードを受け入れる。
【００２０】
ディスク用スリット５はＣＤ、ＶＣＤ、ＤＶＤディスクなどのディスクメディア５１を受け入れる。
【００２１】
メインケース３の１側には、ＡＶ端子１３と、イヤフォン端子１４と、マイクロフォン端子１５とが設けられている。
【００２２】
また、この多重機能映像プレイヤーには、さらにリモートコントローラー６が備えられている。リモートコントローラー６による本機の制御は赤外線制御信号により行われる。したがって、機体１には、赤外線制御信号の受信器としての無線接続端子７１（図３参照）が備えられている。
【００２３】
このリモートコントローラー６は映像センサースイッチの一つとなりうる。したがって、このリモートコントローラー６からの信号によって機体１では、各種メモリカードやディスクメディアに記録された音響および／または映像の再生を開始させることができる。
【００２４】
可動フレーム２は、機体１の横方向に沿った方向に配置されたスタンド２１を有し、スタンド２１の両側は各々サイドアーム２２、２３に可動可能に接続されており、サイドアーム２２、２３の他端がメインケース３の側辺に可動可能に接続されている。
【００２５】
これによりスタンド２１と機体１の相対的位置を調整して、ＬＣＤ表示板１０が観賞上最良の視界が得られる位置にできるようにしている。
【００２６】
なお、サイドアーム２２、２３とメインケース３の接続には、ある程度の摺動抵抗を有するようにしている。これは、スタンド２１により機体１を支えた場合にスタンド２１が動いてしまって倒れないようにするためである。
【００２７】
機体１の裏側には電池９１を電源として収納するホール９２が設けられている。電池９１はタイマー９に接続されている。タイマー９はリモートコントローラー６によって本機自体のＯＮ／ＯＦＦの時間や、あらかじめ選択されているメモリカードやディスクメディアからの音響および／または映像の再生や停止を予約設定することができる。そしてタイマー９は、時間を計測して前記設定された時間で本機自体のＯＮ／ＯＦＦが行われるようにし、また、前記設定された時間で音響や映像の再生および停止が行われるように制御する。このタイマー９は電池９１と共にホール９２の中に収納され、ねじ９４で外蓋９３をねじ止めする。電池９１の電力が切れたら、外蓋９３を取り外してタイマー９ごと電池を取り出し、電池９１を交換する。
【００２８】
次に図３を参照すれば、本機の映像放映モジュール７はＭＰＥＧ１、ＭＰＥＧ３、ＭＰＥＧ４、ＪＰＥＧ、ＭＪＰＥＧなどの様々なファイルフォーマットの映像を再生して放映したり、ＭＰ３などのファイルフォーマットの音響を再生したりするなど、マルチメディアな再生機能を有している。このために、ＳＤカード７ａ、ＭＭＣカード７ｂ、ＭＳカード７ｃ、ＭＳＰＲＯカード７ｄ、ＣＦタイプＩまたはＣＦタイプＩＩカード７ｅ、またはハードディスクカード４１などのメモリカードのデータを読み取って再生する。映像放映モジュール７はまた同様にディスク用スリット５に受け入れたＣＤ、ＶＣＤ、ＤＶＤディスクなどのディスクメディア５１の再生も行う。
【００２９】
また、映像放映モジュール７の一端は無線接続端子７１と操作インターフェース７２とに接続され、他端はビデオセレクター７３とボイスセレクター７４とに接続されている。
【００３０】
映像放映モジュール７は、無線接続端子７１または操作インターフェース７２からの制御信号によって再生するメモリカードやディスクなどからのファイルが選択されて、それらのファイルの再生を実行する。
【００３１】
ビデオセレクター７３およびボイスセレクター７４は映像放映モジュール７からの信号によって再生する映像、音響を選択する。そしてビデオセレクター７３は、再生された映像をＬＣＤドライバー７５の駆動によりＬＣＤ表示板１０に表示し、ボイスセレクター７４は再生された音響をアンプ回路７６を経てスピーカー１１、１２に出力する。
【００３２】
また、ビデオセレクター７３およびボイスセレクター７４は、ＡＶ端子１３から入力情報２０があった場合には、入力情報２０の映像をＬＣＤ表示板１０に表示し、入力情報２０の音響をスピーカー１１、１２に出力する。
【００３３】
電源管理モジュール８は変圧器８１、電池８２、および車用電池８３などの電力を管理して、最良の状態に配分する。
【００３４】
図４を参照すれば、本実施形態の多重機能映像プレイヤーは、機体１の表面上に映像センサースイッチ１００が取り付されている。この映像センサースイッチ１００は、一定の距離（たとえば約１〜５ｍ）と範囲（たとえば映像センサースイッチ１００を中心にして約６０度）内における移動物体を検出する。移動物体の検出には、たとえば赤外線感知装置を用いる。これは主に移動体として人を検出するためである。
【００３５】
映像センサースイッチ１００は映像放映モジュール７に接続されており、一旦移動物体（主に人である）を検出したら、各種カードやディスクメディアからの音響および／または映像を再生させる。
【００３６】
また映像センサースイッチ１００と共に、またはその代わりに、図４に示すように、無線式の映像センサースイッチとなり得る映像ディテクター２００を設けてもよい。映像ディテクター２００は遠隔点（たとえば天井）に取り付け、人間の移動や接近を赤外線によって検出して、リモートコントローラー６と同様に、赤外線制御信号を発射して、無線接続端子７１を介して本機を起動し、音響および／または映像を再生させる。
【００３７】
図５を参照すれば、本実施形態の多重機能映像プレイヤーのＬＣＤ表示板１０は、たとえばタッチパネル３００であり、使用者が指でタッチして操作できる。このタッチパネルは操作インターフェース７２として機能する。このタッチパネル３００からの入力によって機体１側では、各種カードやメディアに記録された音響および／または映像を再生する。
【００３８】
以上詳細な説明は、本考案の実施可能な実施形態についての具体的説明である。ただし、これらの実施形態は本願の実用新案登録請求の範囲を制限するものではない。たとえばリモートコントローラー６、映像センサースイッチ１００、および映像ディテクター２００について説明したが、それらは一つの機体１に対して、それぞれ一つずつ備えられているものであってもよいし、また、それらのいずれかが複数組み合わされて備えられていてもよい。
【００３９】
そのほか、本考案の技術精神を逸脱せずなされた同等効果の実施または変更は、全て本願の実用新案登録請求の範囲内に含まれるものである。
【図面の簡単な説明】
【００４０】
【図１】本考案を適用した実施形態の立体概略図である。
【図２】上記実施形態の別な角度から見た立体概略図である。
【図３】上記実施形態のブロツク図である。
【図４】本考案を適用した他の実施形態を示す概略図である。
【図５】本考案を適用したさらに他の実施形態を示す概略図である。
【符号の説明】
【００４１】
１…機体、
２…可動フレーム、
３…メインケース、
４…カード用スリット、
５…ディスク用スリット、
６…リモートコントローラー、
７…映像放映モジュール、
７ａ…ＳＤカード、
７ｂ…ＭＭＣカード、
７ｃ…ＭＳカード、
７ｄ…ＰＲＯカード、
７ｅ…ＣＦタイプＩ／ＩＩ／カード、
８…電源管理モジュール、
９…タイマー、
１０…ＬＣＤ表示板、
１１、１２…スピーカー、
１３…ＡＶ端子、
１４…イヤフォン端子、
１５…マイクロフォン端子、
２０…入力情報、
２１…スタンド、
２２、２３…サイドアーム、
５１…ディスクメディア、
４１…ハードディスクカード、
７１…無線接続端子、
７２…操作インターフェース、
７３…ビデオセレクター、
７４…ボイスセレクター、
７５…ＬＣＤドラィバー、
７６…アンプ回路、
８１…変圧器、
８２…電池、
８３…車用電池、
９１…電池、
９２…裏側ホール、
９３…外蓋、
９４…ねじ、
１００…映像センサースイッチ、
２００…映像ディテクター、
３００…タッチパネル。
【図１】
0003125201.tif 000003
【図２】
0003125201.tif 000004
【図３】
0003125201.tif 000005
【図４】
0003125201.tif 000006
【図５】
0003125201.tif 000007